(57)【要約】【課題】災害現場や辺鄙な作業現場等の通信インフラ環境の整わない場所においても、被災者や前線の作業員等の各種生体情報を取得して常時監視することのできる生体情報監視システムを提供する。【解決手段】生体情報監視システム１は、使用者Ｘが所持する生体情報発信装置１１及びアナログ無線装置５１Ａと、監視者Ｙが操作する生体情報監視装置３１及びアナログ無線装置５１Ｂとを備えており、生体情報発信装置１１とアナログ無線装置５１Ａとの間は近距離無線通信６１Ａにより、アナログ無線装置５１Ｂと生体情報監視装置３１との間は近距離無線通信６１Ｂにより、及びアナログ無線装置５１Ａと３１Ｂとの間はアナログ無線通信６２により、それぞれ相互に通信可能に接続されている。生体情報発信装置１１は、使用者の外耳に装着して使用されるイヤホン型の送受話機能を備えた生体情報入力用トランスデューサ１００と、音声の送受信及び生体情報の送信を行う制御装置２００とを備えている。【選択図】図１
2011212167.tif 000002
【特許請求の範囲】
【請求項１】
生体情報を生体データに変換して入力する生体情報入力手段を備え、外耳に装着して使用されるイヤホン型の生体情報入力用トランスデューサ。
【請求項２】
インナーイヤー型又はカナル型である、請求項１に記載の生体情報入力用トランスデューサ。
【請求項３】
前記生体情報は、血圧、心拍数、呼吸数、血中酸素濃度又は体温である、請求項１又は２に記載の生体情報入力用トランスデューサ。
【請求項４】
前記生体情報入力手段は、外耳道の内圧の変化を検出することにより心拍圧データを取得する心拍圧センサである、請求項１〜３の何れか１項に記載の生体情報入力用トランスデューサ。
【請求項５】
前記生体情報入力手段は、外耳道の音響振動の変化を検出することにより呼吸音データを取得する呼吸音センサである、請求項１〜４の何れか１項に記載の生体情報入力用トランスデューサ。
【請求項６】
前記生体情報入力手段は、赤外線を照射しその透過度を検出することにより酸素飽和度データを取得する血中酸素濃度センサである、請求項１〜５の何れか１項に記載の生体情報入力用トランスデューサ。
【請求項７】
前記生体情報入力手段は、鼓膜から放出された赤外線を検出することにより体温データを取得する体温センサである、請求項１〜６の何れか１項に記載の生体情報入力用トランスデューサ。
【請求項８】
音声を音声データに変換して入力する音声入力手段と、
音声データを音声に変換して出力する音声出力手段と、
を更に有することを特徴とする、請求項１〜７の何れか１項に記載の生体情報入力用トランスデューサ。
【請求項９】
請求項８に記載の生体情報入力用トランスデューサと、
前記音声入力手段により取得した音声データと前記生体情報入力手段により検出した生体データを送信する送信手段と、
音声データを受信する受信手段と、
を有することを特徴とする、生体情報発信装置。
【請求項１０】
前記送信手段は、前記音声入力手段により取得した音声データと前記生体情報入力手段により検出した生体データとを多重化して送信することを特徴とする、
請求項９に記載の生体情報発信装置。
【請求項１１】
生体データを受信する生体データ受信手段と、
前記生体データ受信手段により受信した生体データの異常を監視する生体データ監視手段と、
を有することを特徴とする、生体情報監視装置。
【請求項１２】
前記生体データ受信手段により受信した生体データを記憶する生体データ記憶手段を更に有し、
前記生体データ監視手段は、前記生体データ受信手段により受信した生体データを前記生体データ記憶手段により記憶した生体データと比較することにより生体データの異常を判断することを特徴とする、
請求項１１に記載の生体情報監視装置。
【請求項１３】
前記生体データ監視手段は、前記生体データ受信手段により受信した生体データを予め設定された閾値と比較することにより生体データの異常を判断することを特徴とする、
請求項１１に記載の生体情報監視装置。
【請求項１４】
前記生体データ受信手段により受信した生体データを表示する表示手段を更に有し、
前記表示手段は、前記生体データ監視手段が生体データの異常を検知した場合にその旨の警告を表示することを特徴とする、
請求項１１〜１３のいずれか１項に記載の生体情報監視装置。
【請求項１５】
音声を音声データに変換して入力する音声入力手段と、
前記音声入力手段により取得した音声データを送信する音声データ送信手段と、
音声データを受信する音声データ受信手段と、
前記音声データ受信手段により受信した音声データを音声に変換して出力する音声出力手段と、
をさらに有することを特徴とする、
請求項１１〜１４のいずれか１項に記載の生体情報監視装置。
【請求項１６】
請求項９又は１０に記載の生体情報発信装置と、
請求項１１〜１５のいずれか１項に記載の生体情報監視装置と、
が互いに通信可能に接続されてなる、生体情報監視システム。
【発明の詳細な説明】
【技術分野】
【０００１】
本発明は生体情報入力用トランスデューサ、及びこれを利用した生体情報発信装置、生体情報監視装置及び生体情報監視システムに関する。
【背景技術】
【０００２】
近年、技術の飛躍的な進歩により、生命活動を示す生体情報の各種測定機器が開発されている。例えば、大規模災害や大型旅客機事故あるいはバイオハザード等の現場では、測定機器を使用するための十分なスペースを確保することができない場合が多く、測定機器の小型化が切望されていた。また、そのような現場では、消防士や救命救急士あるいは自衛隊員等の救命救急要員、医師や看護師等の医療従事者、その他の救護担当者等の現場要員が不足している場合が多く、測定機器の操作手順の簡易化や測定時間の短縮化が待望されていた。そのような利用者側の要望を叶えるべく開発された測定機器としては、例えば、挿耳型生体信号測定装置が挙げられる（特許文献１参照）。この装置は、様々な生体情報を測定できるモジュールを含み、耳穴に挿入できるように構成されたものである。このような構成とすることで、単一の生体情報測定装置で複数の生体情報を同時に測定することができる。
【０００３】
一方、上記のような過酷な環境と高度な危険を伴う現場で救護活動等を行う場合には、現場要員に対する伝達や現場状況の報告等を行うために無線通信装置が利用されている。このような既存の無線通信装置を現場に設置することによって、例え現地の通信ネットワーク環境が壊滅的な状況下に置かれたとしても、現場要員と後方の病院等指揮所や指令所等の本部との間で連絡を取り合うことができる。
【先行技術文献】
【特許文献】
【０００４】
【特許文献１】特開２００７−５４６５０号公報
【発明の概要】
【発明が解決しようとする課題】
【０００５】
しかしながら、公衆網やコンピュータネットワーク等の通信ネットワーク環境が利用できない現場では、測定した各生体情報を無線機を用いて直接本部に送ることができないので、現場の患者の容体や現場要員の健康状態等を本部の監視者との会話により伝えるしかできないという問題があった。また、過酷な環境下で現場要員が個々の患者に対応しなければならないので、一人に多くの救護や治療等の時間を割くことができず、多数の現場要員がいない場合には、他の被災者の救護や患者の治療中に重篤患者等の容体の急変を見逃す可能性があった。また、患者等を現場から受け入れ先の医療機関等へ搬送する場合に、特に重篤患者は容体が急変する可能性があるところ、受け入れ先がリアルタイムで患者の容体を知ることができず、緊急時の治療方針を立てたり、その準備を行うことができないという問題があった。また、患者の数が多い場合に、それらの生体情報を本部で集中管理することができないので、混乱した現場で情報が錯綜する可能性もあり、得られた情報に基づいて正しい治療等を行うことができない可能性があった。さらに、精神的にも肉体的にも相当疲労がたまっている現場要員が例え判断ミスをしたとしても、現場要員の健康状態をリアルタイムで知ることができない本部では、それを把握することができず、現場要員に退避令やローテーションの組み替え等の指示を出したりするタイミングを逃し、被災者等だけでなく現場要員の安全性を確保できないという問題があった。
【０００６】
本発明は上記従来技術の有する問題点に鑑みなされたものであり、その目的とするところは、災害現場や辺鄙な作業現場等の通信インフラ環境の整わない場所においても、被災者や前線の作業員等の各種生体情報を取得して常時監視することのできる生体情報監視システムを提供することにある。
【０００７】
本発明の他の目的は、小型で軽量かつ簡便に装着でき、作業員の機動性や作業性を低下させたり被災者等に身体的な負担をかけることなく各種生体情報を送信することのできる生体情報監視システムを提供することにある。
【課題を解決するための手段】
【０００８】
本発明の上記目的は、下記の手段によって達成される。
【０００９】
（１）すなわち、本発明は、生体情報を生体データに変換して入力する生体情報入力手段を備え、外耳に装着して使用されるイヤホン型の生体情報入力用トランスデューサである。
【００１０】
（２）本発明はまた、インナーイヤー型又はカナル型である、（１）に記載の生体情報入力用トランスデューサである。
【００１１】
（３）本発明はまた、前記生体情報は、血圧、心拍数、呼吸数、血中酸素濃度又は体温である、（１）又は（２）に記載の生体情報入力用トランスデューサである。
【００１２】
（４）前記生体情報入力手段は、外耳道の内圧の変化を検出することにより心拍圧データを取得する心拍圧センサである、（１）〜（３）の何れか１項に記載の生体情報入力用トランスデューサである。
【００１３】
（５）本発明はまた、前記生体情報入力手段は、外耳道の音響振動の変化を検出することにより呼吸音データを取得する呼吸音センサである、（１）〜（４）の何れか１項に記載の生体情報入力用トランスデューサである。
【００１４】
（６）本発明はまた、前記生体情報入力手段は、赤外線を照射しその透過度を検出することにより酸素飽和度データを取得する血中酸素濃度センサである、（１）〜（５）の何れか１項に記載の生体情報入力用トランスデューサである。
【００１５】
（７）本発明はまた、前記生体情報入力手段は、鼓膜から放出された赤外線を検出することにより体温データを取得する体温センサである、（１）〜（６）の何れか１項に記載の生体情報入力用トランスデューサである。
【００１６】
（８）本発明はまた、音声を音声データに変換して入力する音声入力手段と、音声データを音声に変換して出力する音声出力手段と、を更に有することを特徴とする、（１）〜（７）の何れか１項に記載の生体情報入力用トランスデューサである。
【００１７】
（９）また、本発明は、（８）に記載の生体情報入力用トランスデューサと、前記音声入力手段により取得した音声データと前記生体情報入力手段により検出した生体データを送信する送信手段と、音声データを受信する受信手段と、を有することを特徴とする、生体情報発信装置である。
【００１８】
（１０）本発明はまた、前記送信手段は、前記音声入力手段により取得した音声データと前記生体情報入力手段により検出した生体データとを多重化して送信することを特徴とする、（９）に記載の生体情報発信装置である。
【００１９】
（１１）本発明はまた、生体データを受信する生体データ受信手段と、前記生体データ受信手段により受信した生体データの異常を監視する生体データ監視手段と、を有することを特徴とする、生体情報監視装置である。
【００２０】
（１２）本発明はまた、前記生体データ受信手段により受信した生体データを記憶する生体データ記憶手段を更に有し、前記生体データ監視手段は、前記生体データ受信手段により受信した生体データを前記生体データ記憶手段により記憶した生体データと比較することにより生体データの異常を判断することを特徴とする、（１１）に記載の生体情報監視装置である。
【００２１】
（１３）本発明はまた、前記生体データ監視手段は、前記生体データ受信手段により受信した生体データを予め設定された閾値と比較することにより生体データの異常を判断することを特徴とする、（１１）に記載の生体情報監視装置である。
【００２２】
（１４）本発明はまた、前記生体データ受信手段により受信した生体データを表示する表示手段を更に有し、前記表示手段は、前記生体データ監視手段が生体データの異常を検知した場合にその旨の警告を表示することを特徴とする、（１１）〜（１３）のいずれか１項に記載の生体情報監視装置である。
【００２３】
（１５）本発明はまた、音声を音声データに変換して入力する音声入力手段と、前記音声入力手段により取得した音声データを送信する音声データ送信手段と、音声データを受信する音声データ受信手段と、前記音声データ受信手段により受信した音声データを音声に変換して出力する音声出力手段と、をさらに有することを特徴とする、（１１）〜（１４）のいずれか１項に記載の生体情報監視装置である。
【００２４】
（１５）更に、本発明は、（９）又は（１０）に記載の生体情報発信装置と、（１１）〜（１５）のいずれか１項に記載の生体情報監視装置と、が互いに通信可能に接続されてなる、生体情報監視システムである。
【発明の効果】
【００２５】
本発明の生体情報入力用トランスデューサ及び生体情報発信装置によれば、音声だけでなく外耳から取得した本装置の使用者の各種生体情報を電波に乗せて送信することができるので、災害現場や辺鄙な作業現場等の通信インフラ環境の整わない場所においても、前線で作業等に当たっている本装置の使用者の各種生体情報を後方の指令本部等において取得して常時監視し、救助や危険作業に従事する前線要員の健康状態や身に迫る危険を事前に察知して的確な指示を伝達したり、重篤な被災者の容態等を前もって把握して迅速な救護活動を展開したりすることができる。
【００２６】
また、本装置の使用者の各種生体情報から、自動的に監視者や使用者に警告を発信したり、被災者等を現場から受け入れ先の医療機関等へ搬送する場合であっても、被災者等の容態を自動的に受け入れ先に送信することができ、受け入れ先がリアルタイムで患者の容体を知ることができ、緊急時の治療方針を立てたり、その準備をスムーズに行うことができる。また、多数の患者がいる場合でも、それらの生体情報を本部で集中管理することができるので、得られた正しい情報に基づいて正しい治療等を行うことができる。また、患者の他にも現場要員の健康状態を本部で常にチェックすることにより、疲労がたまった現場要員に対してローテーションの変更を指示したり、作業環境が急激に悪化した場合であっても、送信された現場要員等の生体情報に基づいて退避令等の指示を出したりすることができる。これにより、被災者等だけでなく現場要員の安全性を確保することができる。
【００２７】
本発明の生体情報入力用トランスデューサ及び生体情報発信装置によれば、外耳にトランスデューサを装着し、上着のポケット等に生体情報発信装置を携帯するだけで装着可能な小型で軽量な構造であるので、作業員の機動性や作業性を低下させたりむやみに体力を奪ったりすることがなく、また重篤な被災者等にも身体的な負担をかけることがない。
【図面の簡単な説明】
【００２８】
【図１】本発明の実施形態にかかる生体情報監視システム１の全体構成を示すブロック図である。
【図２】生体情報発信装置１１の全体構成を示すブロック図である。
【図３】生体情報監視装置３１の全体構成を示すブロック図である。
【図４】生体情報発信装置１１の送話及び生体情報送信処理の手順を示すフローチャートである。
【図５】生体情報発信装置１１の多重化変調処理の手順を示すフローチャートである。
【図６】生体情報監視装置３１の受話及び生体情報受信処理の手順を示すフローチャートである。
【図７】生体情報監視装置３１の送話処理の手順を示すフローチャートである。
【図８】生体情報発信装置１１の受話処理の手順を示すフローチャートである。
【図９】本発明の他の実施形態にかかる生体情報監視システム２の全体構成を示すブロック図である。
【発明を実施するための形態】
【００２９】
以下、本発明の実施の形態を、図面を参照して詳細に説明する。
【００３０】
図１は、本発明の実施形態にかかる生体情報監視システム１の全体構成を示すブロック図である。図１に示すように、本実施形態にかかる生体情報監視システム１は、使用者Ｘが所持する生体情報発信装置１１及びアナログ無線装置５１Ａと、監視者Ｙが操作する生体情報監視装置３１及びアナログ無線装置５１Ｂとを備えており、生体情報発信装置１１とアナログ無線装置５１Ａとの間は近距離無線通信６１Ａにより、アナログ無線装置５１Ｂと生体情報監視装置３１との間は近距離無線通信６１Ｂにより、及びアナログ無線装置５１Ａと３１Ｂとの間はアナログ無線通信６２により、それぞれ相互に通信可能に接続されている。なお、生体情報監視システム１に接続される生体情報発信装置、生体情報監視装置及びアナログ無線装置の台数は図１に示す例に限定されず、またこれら以外の機器が接続されていてもよい。
【００３１】
次に、上記各機器の構成について説明するが、上記各機器は後述する構成要素以外の構成要素を含んでいてもよく、あるいは、後述する構成要素のうちの一部が含まれていなくてもよい。また、各機器で同様の機能を有する部分については、説明の重複を避けるため初回のみその説明を行い、２回目以降はその説明を省略する。
【００３２】
図２は、生体情報発信装置１１の全体構成を示すブロック図である。図２に示すように、生体情報発信装置１１は、トランスデューサ１００と制御装置２００とを備えており、これらは信号をやり取りするための通信線を介して接続されている。
【００３３】
トランスデューサ１００は、使用者の外耳に装着して使用されるイヤホン型の送受話機能を備えた生体情報入力用トランスデューサであり、音声入力部１１０、音声出力部１２０及び生体情報入力部１３０を備えている。トランスデューサ１００は、外耳道の入口付近に係止させて装着するインナーイヤー型であっても良いし、外耳道の中程まで挿入して装着するカナル型であっても良い。
【００３４】
音声入力部１１０はマイクロフォン（振動トランスデューサ）であり、使用者Ｘの声帯で発生し耳管及び骨伝導により伝達された音声をアナログ信号の音声データ（送話）に変換して制御装置２００に入力する。また、音声出力部１２０はスピーカ（振動トランスデューサ）であり、制御装置２００から出力されたアナログ信号の音声データ（受話）を音声に変換して耳道及び骨伝導により使用者Ｘの鼓膜に伝達させる。なお、音声入力部１１０と音声出力部１２０とは、それぞれ別々の振動トランスデューサで構成されても良いが、これらを１枚の振動板を利用した可逆的振動トランスデューサで構成しても構わない。
【００３５】
生体情報入力部１３０は生体情報センサであり、使用者の各種生体情報を検出しアナログ信号の生体データとして制御装置２００に入力する。生体情報入力部１３０を構成する生体情報センサとしては、心拍圧センサ、呼吸音センサ、血中酸素濃度センサ、体温センサ等が挙げられ、それぞれ生体情報として、血圧及び心拍数、呼吸数、血中酸素濃度（ＳｐＯ２）、体温等を取得することができる。
【００３６】
心拍圧センサ及び呼吸音センサは何れもマイクロフォン（振動トランスデューサ）で構成され、トランスデューサ１００で密閉された使用者の外耳道から、前者は鼓膜及び外耳道壁から発生する微小な圧力変化を測定することにより耳の周辺の血管から発生する心拍圧の変化を検出し、後者は微小な音響振動の変化を測定することにより耳管を通じて呼吸音（呼吸に伴う雑音）を取得する。心拍圧は２〜２０Ｈｚ程度の範囲の心拍圧力信号として、呼吸音は０．２〜２Ｈｚ程度の範囲のノイズ信号として、それぞれ外耳道で検出することが可能である。なお、生体情報入力１３０の心拍圧センサ、呼吸音センサ及び音声入力部１１０は、それぞれ別々の振動トランスデューサで構成されても良いが、心拍圧、呼吸音及び音声の３つの生体情報は周波数帯域が異なりフィルタ処理によってアナログ的に分離可能であるので、これらの一部又は全部を同じ振動トランスデューサで構成するようにしても良い。
【００３７】
血中酸素濃度センサはパルスオキシメータ等で構成され、血管に赤色光及び赤外光を照射する発光部と、血管を透過した光量を測定するための受光部とからなる。血液中のヘモグロビンは酸素との結合の有無により赤色光と赤外光の吸収程度が異なるので、パルスオキシメータにより赤色光と赤外光を照射し血管を透過した光量を測定することにより、血中酸素濃度（ＳｐＯ２）を測定することができる。なお、血中酸素濃度センサの測定部位としては、耳介の毛細血管が好適であり、この場合、血中酸素濃度センサを、トランスデューサ１００のイヤホン型筐体から突出あるいは分離させて、クリップ構造等により耳介の一部（例えば、耳珠、対耳珠、耳垂等）を狭掴した状態で固定可能なように構成しても良い。
【００３８】
体温センサは接触式又は非接触式の温度センサで構成され、前者はサーミスタ等を利用して外耳道の温度を測定し、後者は鼓膜等から放射される赤外線等の強度を測定する。
【００３９】
制御装置２００は、アナログ信号処理部２１０、音声データ処理部２２０、生体データ処理部２３０、多重化変復調処理部２４０、近距離無線処理部２５０、アンテナ２６０等から構成される。
【００４０】
アナログ信号処理部２１０は、トランスデューサ１００から入力された音声データ及び生体データを含むアナログ信号を増幅する機能、及び音声データ処理部２２０からの音声データをトランスデューサ１００に出力する機能、トランスデューサ１００の各部を制御する機能等を有している。
【００４１】
音声データ処理部２２０は、アナログ信号処理部２１０からのアナログ信号をフィルタ処理し、音声データを分離・増幅する機能、及び多重化変復調処理部２４０からの復調信号から音声データを分離・増幅する機能等を有している。
【００４２】
生体データ処理部２３０は、アナログ信号処理部２１０からのアナログ信号をフィルタ処理し、各生体データを分離・増幅する機能等を有している。
【００４３】
多重化変復調処理部２４０は、音声データ処理部２２０からの音声データと生体データ処理部２３０からの生体データを多重化復調する機能や近距離無線処理部２５０により受信した音声データを復調する機能等を有している。
【００４４】
近距離無線処理部２５０は、多重化変復調処理部２４０により多重化復調された多重化データを、アンテナ２６０から近距離無線４１を介して送信する機能、及びアンテナ２６０から電波としてアナログ無線装置５１Ａへ飛ばし、さらにアナログ無線装置５１Ａから近距離無線４１を介して音声データを受信する機能等を有している。
【００４５】
このような構成とすることで、多機能であっても外耳内に収めることができる、密閉性の高い軽量小型のトランスデューサ１００を提供することができる。また、このトランスデューサ１００は、送受話と共に生体情報の取得も可能であるため、生体情報を取得するための特別な装置を別途用意する必要がない。さらに、従来の生体情報を取得するためのセンサのように、装着及び脱着を繰り返すこともなく、また、軽量であるので、本発明を過酷な条件下で長時間装着しても使用者の身体的な負担を大幅に軽減することができる。
【００４６】
図３は、生体情報監視装置３１の全体構成を示すブロック図である。図３に示すように、生体情報監視装置３１は、アンテナ３１０、近距離無線通信処理部３２０、多重化変復調処理部３３０、音声データ処理部３４０、音声入力部３５０、音声出力部３６０、生体データ処理部３７０、生体データ記憶部３８０、生体データ監視部３９０、表示部４００等を備えている。
【００４７】
次に、本実施形態にかかる生体情報監視システム１の作動の概要について説明する。
【００４８】
図４は、本実施形態における生体情報発信装置１１の送話及び生体情報発信処理の手順を示すフローチャートである。図４において、生体情報発信装置１１は、まず、ステップＳ１１０において、トランスデューサ１００の生体情報入力部１３０により各生体データを入力する。次いで、ステップＳ１２０において、送話命令がある場合は（Ｓ１１０のＹＥＳ）、ステップ１３０に進んでトランスデューサ１００の音声入力部１１０により音声データ（送話）を入力する。送話命令の入力は、生体情報発信装置１１の制御装置２００に備わったＰＴＴスイッチ（図示せず）等を使用者Ｘが操作することにより行われる。但し、ＰＴＴスイッチによらずに、音声入力部１１０のマイクロフォンで音声を感知して自動的に送受信を切り替えるＶＯＸ機構（Ｖｏｉｃｅ  Ｏｐｅｒａｔｅｄ  Ｒｅｌａｙ）等を利用しても良い。ステップＳ１２０において、送話命令がない場合は（Ｓ１２０のＮＯ）、ステップＳ１３０の音声データ入力処理は省略される。
【００４９】
次に、ステップＳ１４０に進んで、制御装置２００のアナログ信号処理部２１０により、ステップＳ１１０及びＳ１３０で得られた生体データ及び音声データを含むアナログ信号に対して、増幅、ノイズ除去等の各種アナログ信号処理を施す。
【００５０】
更に、ステップＳ１５０において、制御装置２００の音声データ処理部２２０及び生体データ処理部２３０により、ステップＳ１４０で得られたアナログ信号に対してフィルタ処理を施して音声データ及び各生体データをそれぞれ分離して増幅する。
【００５１】
そして、ステップＳ１６０に進んで、ステップＳ１５０で得られた音声データ及び各生体データに対して、制御装置２００の多重化変復調処理部２４０により多重化変調処理を行う。災害現場や作業現場等において、被害者や作業者等から得られる生体情報を無線通信手段を使用してテレメトリを行おうとする場合、新たなテレメトリセンシングネットワークを構築することは現実的ではなく、既存の無線通信手段を活用できる技術が重要となる。特に、災害現場等で使用される無線通信は、基本的には音声通話を主としたトランシーバ等が主流であり、従って、これらの音声通話帯域に限定されるアナログ無線通信を利用して、被災者等から得られる生体情報を伝送する方式が求められる。しかし、一般的なアナログ音声無線通信の場合、送受信可能な周波数帯域は、１００Ｈｚから３ｋＨｚ程度であり、かつ実用的な通信でのＳ／Ｎ比は２０ｄＢ程度であるので、トランスデューサ１００で取得した各生体データをそのまま無線伝送することはできない。そこで、ステップＳ１７０では、ステップＳ１６０で得られた各生体データをアナログ音声無線通信を利用して音声データと同時転送するため、各生体データを音声符号化して多重化する多重化変調処理を行うものである。
【００５２】
図５は、本実施形態における生体情報発信装置１１の多重化変調処理の手順を示すフローチャートである。図５において、生体情報発信装置１１は、まず、ステップＳ１６２においてステップＳ１５０で得られた各生体データを符号化し、次いで、ステップＳ１６４においてデータのパケット化を行い、更にステップＳ１６６において制御データ等を付加する。すなわち、ステップＳ１５０で得られた各生体データを符号化して多重化するとともに、無線区間の通信は常に行われているわけではないため、生体情報の定期的な取得や、使用者が重篤な状態になった場合のアラート発信等、無線通信区間上に転送される情報を制御するための制御情報やデータ転送上の誤りを検出するための冗長符号の転送を行う必要があり、これらの機能を実現するために、データ構造のパケット化を行うとともに、プロトコル制御を行うためのヘッダ制御部を追加する。パケットサイズについては、一度に転送するデータ量が大きければ、大量の情報を転送できる反面、無線区間の安定性が悪ければ一度に大量のデータを失う可能性があるため、通信占有時間と無線区間の安定性を考慮して適宜決定される。
【００５３】
なお、生体データとして、例えば、心拍圧、呼吸音、及びＳｐＯ２を転送し、無線区間のデータフロー制御を行うための制御情報も同時に転送する場合、心拍圧信号は、信号周波数帯域が２〜２０Ｈｚ程度であるので、サンプル周波数を４０Ｈｚ程度、ダイナミックレンジを８ｂｉｔ程度とすると、３２０ｂｐｓ程度の通信レートが必要であり、呼吸音信号は、信号周波数帯域が０．２〜２Ｈｚ程度であるので、サンプル周波数を４Ｈｚ程度、ダイナミックレンジを７ｂｉｔ程度とすると、２８ｂｐｓ程度の通信レートが必要となる。一方、ＳｐＯ２信号の生データは心拍拍動を伴った信号であるが、酸素飽和度（％）に換算し直すことができ、また、血中酸素濃度の変化量の測定は１０秒単位なので呼吸信号や心拍圧信号などのようにアナログ的な波形を転送する必要はなく、転送されるデータパケット単位で１６ｂｉｔ程度の情報を転送すればよい。従って、プロトコル上において、検出するための冗長符号をリードソロモン方式などの誤り修正が可能な方式を採用した場合のパケット化のときに制御信号多重化のオーバーヘッドの冗長度を１００％程度として、（２８ｂｐｓ＋３２０ｂｐｓ）×２≒７００ｂｐｓ以上の最大通信レートがあれば、必要とされる生体情報、制御情報、誤り訂正情報等の転送を行うことができる。
【００５４】
次に、生体情報発信装置１１は、ステップＳ１６８において、多重化されたデジタルデータをモデム（Ｍｏｄｅｍ）符号化して音声帯域信号に変換する。即ち、多重化されたデジタルデータを音声帯域信号に変換するためには、音声帯域上でのモデム符号化を使用することが必要となる。モデム符号化では、制限された周波数領域における標準搬送波に対する位相と振幅を用いた変調方式を使用するのが一般的であり、例えば、搬送波に対して、直交するＩＱ軸上に複数のサンプルポイントを設定したＱ−ＡＭ符号変調方式等を利用することにより、想定する無線区間で安定したデジタルデータ転送を行うことができる。
【００５５】
生体情報発信装置１１は、ステップＳ１６８においてモデム符号化による音声帯域変換処理を終了したら、多重化変調処理を終了して図４に戻り、ステップＳ１７０において、制御装置２００の近距離無線処理部２５０により、ステップＳ１６０で得られた音声データと生体データの多重化データを近距離無線通信６１Ａを介してアナログ無線装置５１Ａに送信する。
【００５６】
そして、生体情報発信装置１１は、終了命令があるまでステップＳ１１０〜Ｓ１７０の手順を繰り返し（Ｓ１８０のＮＯ）、使用者による終了命令の入力があると（Ｓ１８０のＹＥＳ）、送話及び生体情報発信処理を終了する。
【００５７】
図６は、本実施形態における生体情報監視装置３１の受話及び生体情報受信処理の手順を示すフローチャートである。図６において、生体情報監視装置３１は、まず、ステップＳ２１０において、アナログ無線装置５１Ｂから多重化データを受信するまで待機する（Ｓ２１０のＮＯ）。アナログ無線装置５１Ｂは、アナログ無線装置５１Ａからアナログ無線通信６２を介して多重化データを受信すると、近距離無線通信６１Ｂを介して生体情報監視装置３１に多重化データを転送する。生体情報監視装置３１は、近距離無線処理部３２０により、アナログ無線装置５１Ｂから近距離無線通信６１Ｂを介して多重化データを受信すると（Ｓ２１０のＹＥＳ）、ステップＳ２２０に進んで、多重化変復調処理部３３０により、ステップＳ２１０で受信した多重化データを復調処理する。
【００５８】
次いで、ステップＳ２３０において、音声データ処理部３４０によりステップ２１０で得られた復調信号から音声データを分離・増幅し、ステップＳ２４０において、音声出力部３６０により音声データを音声に変換して出力する。
【００５９】
また、ステップＳ２５０において、生体データ処理部３７０によりステップ２１０で得られた復調信号から各生体データを分離・増幅し、ステップＳ２６０において、生体データ記憶部３８０により生体データを記録する。さらに、ステップ２７０において、生体データ監視部３９０により、受信した各生体データを予め生体データ毎に設定された閾値と比較して生体データが異常であるか否かを判断し、受信した生体データが異常である場合は（Ｓ２７０のＹＥＳ）、ステップＳ２８０に進んで、表示部４００により、異常と判断した生体データの種別及び当該生体データが異常である旨を表示する。なお、ステップＳ２３０〜Ｓ２４０とステップＳ２５０〜Ｓ２８０の手順は、いずれの順序で処理されるものであっても構わない。
【００６０】
そして、生体情報監視装置３１は、終了命令があるまでステップＳ２１０〜Ｓ２８０の手順を繰り返し（Ｓ２９０のＮＯ）、監視者による終了命令の入力があると（Ｓ２９０のＹＥＳ）、受話及び生体情報受信処理を終了する。
【００６１】
図７は、本実施形態における生体情報監視装置３１の送話処理の手順を示すフローチャートである。図７において、生体情報監視装置３１は、まず、ステップＳ３１０において、送話命令があるまで待機し（Ｓ３１０のＮＯ）、監視者により送話命令の入力があると（Ｓ３１０のＮＯ）、ステップ３２０に進んで音声入力部３５０により音声データ（送話）を入力する。
【００６２】
次に、ステップＳ３３０に進んで、音声データ処理部３４０により、ステップＳ３２０で得られた音声データを増幅し、更にステップＳにおいて、音声データを変調し、ステップＳ３５０で、近距離無線処理部３２０により、ステップＳ３４０で変調した音声データを近距離無線通信６１Ｂを介してアナログ無線装置５１Ｂに送信する。
【００６３】
そして、生体情報監視装置３１は、終了命令があるまでステップＳ３１０〜Ｓ３５０の手順を繰り返し（Ｓ３６０のＮＯ）、監視者による終了命令の入力があると（Ｓ３６０のＹＥＳ）、送話処理を終了する。
【００６４】
図８は、本実施形態における生体情報発信装置１１の受話処理の手順を示すフローチャートである。図８において、生体情報発信装置１１は、まず、ステップＳ４１０において、アナログ無線装置５１Ａから音声データを受信するまで待機する（Ｓ４１０のＮＯ）。アナログ無線装置５１Ａは、アナログ無線装置５１Ｂからアナログ無線通信６２を介して音声データを受信すると、近距離無線通信６１Ａを介して生体情報発信装置１１に音声データを転送する。生体情報発信装置１１は、制御装置２００の近距離無線処理部２５０により、アナログ無線装置５１Ａから近距離無線通信６１Ａを介して音声データを受信すると（Ｓ４１０のＹＥＳ）、ステップＳ４２０に進んで、制御装置２００の多重化変復調処理部２４０により、ステップＳ４１０で受信した音声データを復調し、次いで、ステップＳ４４０において、制御装置２００の音声データ処理部２２０によりステップ４３０で復調された音声データを増幅し、更に、ステップＳ４４０において、トランスデューサ１００の音声出力部１１０により音声データを音声に変換して出力する。
【００６５】
そして、生体情報発信装置１１は、終了命令があるまでステップＳ４１０〜Ｓ４４０の手順を繰り返し（Ｓ４５０のＮＯ）、使用者による終了命令の入力があると（Ｓ４５０のＹＥＳ）、受話処理を終了する。
【００６６】
このように、生体情報監視システム１によれば、生体情報発信装置１１により音声だけでなく外耳から取得した本装置の使用者の各種生体情報を電波に乗せて生体情報監視装置３１に送信することができるので、災害現場や辺鄙な作業現場等の通信インフラ環境の整わない場所においても、前線で作業等に当たっている使用者Ｘの各種生体情報を後方の指令本部等における監視者Ｙが取得して常時監視することができ、救助や危険作業に従事する前線要員の健康状態や身に迫る危険を事前に察知して的確な指示を伝達したり、重篤な被災者の容態等を前もって把握して迅速な救護活動を展開したりすることができる。
【００６７】
図９は、本発明の他の実施形態にかかる生体情報監視システム２の全体構成を示すブロック図である。図９に示すように、本実施形態にかかる生体情報監視システム２は、使用者Ｘが所持する生体情報発信装置１２と、監視者Ｙが操作する生体情報監視装置３２とが、近距離無線通信６３、使用者Ｘが所持する携帯電話５２、携帯電話通信網６４、インターネット（ＷＡＮ）６５及び監視者Ｙが待機する監視センター等の施設内のイントラネット（ＬＡＮ）６６を介して接続されている。このように、本発明の生体情報監視システムは、災害現場等の限られた環境で利用される以外にも、インターネット等の広域通信ネットワーク網を利用することにより、例えば、老人性痴ほう症等の患者の徘徊の監視や、入院を要せずに日常生活を送っているが特定の疾患を有する患者等の健康状態の監視等、使用者の生体情報を遠隔地から監視する場合にも利用することができる。
【産業上の利用可能性】
【００６８】
上述したように、本発明の生体情報監視システムは、被災者や前線の作業員等の各種生体情報を取得して常時監視することができ、また、小型で軽量かつ簡便に装着でき、作業員の機動性や作業性を低下させたり被災者等に身体的な負担をかけることがないので、災害現場や辺鄙な作業現場等の通信インフラ環境の整わない場所等における生体情報監視システムとして利用した場合極めて有用である。
【符号の説明】
【００６９】
１，２・・・生体情報監視システム
１１，１２・・・生体情報発信装置
１００・・・トランスデューサ
１１０，３５０・・・音声入力部
１２０，３６０・・・音声出力部
１３０・・・生体情報入力部
２００・・・制御装置
２１０・・・アナログ信号処理部
２２０，３４０・・・音声データ処理部
２３０，３７０・・・生体データ処理部
２４０，３３０・・・多重化変復調処理部
２５０，３２０・・・近距離無線処理部
２６０，３１０・・・アンテナ
３１，３２・・・生体情報監視装置
３８０・・・生体データ記憶部
３９０・・・生体データ監視部
４００・・・表示部
５１Ａ，５１Ｂ・・・アナログ無線装置
５２・・・携帯電話
６１Ａ，６１Ｂ，６３・・・近距離無線通信
６２・・・アナログ無線通信
６４・・・携帯電話通信網
６５・・・インターネット
【図２】
2011212167.tif 000003
【図３】
2011212167.tif 000004
【図４】
2011212167.tif 000005
【図５】
2011212167.tif 000006
【図６】
2011212167.tif 000007
【図７】
2011212167.tif 000008
【図８】
2011212167.tif 000009
【図１】
2011212167.tif 000010
【図９】
2011212167.tif 000011